(57)【要約】      （修正有）【課題】外反母趾と部分的な発汗を防ぐスリッパを提供する。【解決手段】鼻緒形状にすることで、外反母趾や部分的な足の発汗を防ぎ、水虫等足のトラブルが改善される。外反母趾は、足の指を広げることにより適切に防ぐことができる。足にトラブルを抱えている方々にとって、大変喜ばれるものと考えられる。足裏突起部分を大きくすることや、シリコンゴム素材のように低反発で柔らかいものにすることで、血行等、身体が改善される。鼻緒形状でなおかつ、つぼ押しスリッパにすることにより、つぼの刺激で身体の中まで綺麗になれる。日々の足の疲れなどは従来のスリッパでは効果がない。健康グッズとして世代に関係なく、病院など様々な分野で活躍できる履物である。【選択図】図１
0003155408.tif 000002
【実用新案登録請求の範囲】
【考案の詳細な説明】
実用新案への提出資料
一般小売店で販売されている「健康サンダル」を１０年以上履いています。オールシーズン冷え性でしたが、今では冬も家の中では素足で足はいつもポカポカで冷え性を克服しました。
しかし年齢とともに外反母趾を患うだけでなく、従来の商品では足先ストッパー部分のカバーによって発汗するため、何かよい方式はないものかと模索するうち、この形状を考案しました。
爪先部分を「鼻緒」の形状にすることで外反母趾・部分的な足の発汗を防ぎ、水虫等足にトラブルを抱えている人達にとって大変いいものになると考えられます。
上下履きの両方に使え、また若者からご高齢の方まで用途に合わせて本体には様々な配色をし、特に鼻緒部分は布素材を使用した肌に優しく、見た目にも可愛らしい形状を考えています。（現在、私が毎日履いているビロード状の布素材のものは、男性用のものですがしっかりしており非常に安定しています。）［写真▲１▼］
その他、下履き用途を考えた場合、インソール表面の突起部分が足裏との摩擦で滑り止めになり歩きやすくなります。なお、突起付きインソールは市販されている中でも痛みが少なく、素材の強度に優れたものを使用しています。［写真▲２▼］
（インソールのゴム部分を剥がし、スニーカーの中敷として使用しています）
毎日数時間の立ち仕事をしていますが、この中敷を使用してから足の痛み、足の疲れが和らぎ、またスニーカー内部の足との遊びが少なく、大き目のサイズの靴を履いた場合でもしっくりとした感じが得られるようになります。［写真▲３▼］
【上履き・下履きの素材について】
●鼻緒形状の上履き……底の素材をスポンジ状に
●鼻緒形状の下履き……底の素材をゴム状に
●靴の中敷………………突起付きインソールを使用
0003155408.tif 000003
0003155408.tif 000004
【手続補正書】
【提出日】平成20年9月1日(2008.9.1)
【手続補正１】
【補正対象書類名】実用新案登録請求の範囲
【補正対象項目名】全文
【補正方法】変更
【補正の内容】
【実用新案登録請求の範囲】
【請求項１】
一般に販売されている健康サンダルを１０年以上履いています。それまではオールシーズン冷え性で、キッチンでは足マット・靴下２枚と大変な思いをしましたが、今では家の中では素足で足はいつもポカポカで、冷え性を克服しました。  しかし、年齢とともに外反母趾を患うだけでなく、従来の商品では足先ストッパー部分のカバーによって発汗するため、鼻緒形状つぼ押しスリッパにすることにより外反母趾・部分的な発汗を防ぎ、水虫等のトラブルを足に抱えている人達にとっても大変いいものになると考えられます。また、若者からご高齢の方達まで幅広く使用できるように鼻緒には合成皮革・絵柄・ビロード布状等として配色は白・黒・ピンクなど見た感じを可愛らしくする。  鼻緒は布素材とし、中心部分を少し内側に寄せて花飾り等の装飾したい。  鼻緒は履く脱ぐが、簡単でスムーズにできるような素材にしたい。また、足裏に触れる部分は突起付きで低反発性の柔らかいシリコンゴム素材のようなクッション性のゴムを使用する。  突起部分は従来品より大きい形状として土踏まず、指のくぼみに対応できるように滑らかな形状とする。また鼻緒は足の親指と中指の間を履いたときに痛みのない仕様として、初めて履いた方でも痛みが少なく気持ちよく履けるようにする。  鼻緒形状つぼ押しスリッパにすることで、足の指を広げることができ、開放感が得られ、外反母趾を防ぐことができる。  表面の突起部分が履いたとき足裏との摩擦で滑り止め効果にもなります。  私は従来品を長く履いているとストッパーのカバー部分で発汗するため鼻緒形状にしたい。室内履きとしては鼻緒形状の物がなく、私の経験から何か良い方式はないものかとこの形状を考案しました。  今回、鼻緒形状つぼ押しスリッパを実用新案として提出します。
【手続補正２】
【補正対象書類名】明細書
【補正対象項目名】全文
【補正方法】変更
【補正の内容】
【考案の詳細な説明】
【上履きの素材について】
鼻緒形状の上履き  鼻緒は合成皮革・絵柄・ビロード布状などで、肌に触れる部分は蒸れが少ない布張りで「履く・脱ぐ」が簡単にできる素材にする。  鼻緒の中心部分にバランスの取れた花飾り等を装飾したい。  足裏に触れる部分はクッション性に優れた低反発性の柔らかい素材とし、突起部分は従来品より大きい形状にして「土踏まず・指のくぼみ」に対応できるよう滑らかな形状とする。  足の親指と中指の間は履いたときに痛みのない素材とする。
【図面の簡単な説明】
【図１】「鼻緒形状つぼ押しスリッパの平面図である」
【図２】「鼻緒形状つぼ押しスリッパの断面図である」
【手続補正３】
【補正対象書類名】図面
【補正対象項目名】全図
【補正方法】追加
【補正の内容】
【図１】
0003155408.tif 000005
【図２】
0003155408.tif 000006
【手続補正書】
【提出日】平成20年12月1日(2008.12.1)
【手続補正１】
【補正対象書類名】実用新案登録請求の範囲
【補正対象項目名】全文
【補正方法】変更
【補正の内容】
【実用新案登録請求の範囲】
【請求項１】
（１）鼻緒は布素材とし、鼻緒は履く脱ぐが簡単でスムーズにできるようにし、鼻緒と足裏全体をカバーする突起物を有する。
（２）突起付きで低反発性の柔らかいシリコンゴム素材でクッション性を良くし足裏全体に対応できる形状とする。
（３）ストッパーのカバー部分で発汗するため、鼻緒形状を特徴とする。
以上からなる鼻緒形状つぼ押しスリッパ。
【手続補正２】
【補正対象書類名】明細書
【補正対象項目名】全文
【補正方法】変更
【補正の内容】
【考案の詳細な説明】
実用新案への提出資料
一般に販売されている「健康サンダル」を１０年以上履いています。オールシーズン冷え性でしたが、今では冬も家の中では素足で足はいつもポカポカで冷え性を克服しました。
しかし、年齢とともに外反母趾を患うだけでなく、従来の商品では足先ストッパー部分のカバーによって発汗するため、何か良い方式はないものかと模索するうち、この形状を考案しました。
鼻緒形状にすることで外反母趾・部分的な発汗を防ぎ、水虫等のトラブルを足に抱えている人達にとっても大変いいものになると考えられます。
また、若者からご高齢の方達まで幅広く使用できるように鼻緒には合成皮革・絵柄・ビロード布状等として配色は白・黒・ピンクなど見た感じを可愛らしくする。
鼻緒は布素材とし、中心部分を少し内側に寄せて花飾り等装飾したい。
鼻緒は「履く・脱ぐ」が簡単でスムーズにできるような素材にしたい。
また、足裏に触れる部分は突起付で低反発性の柔らかいシリコンゴム素材のようなクッション性のゴムを使用する。
突起部分は従来品より大きい形状にして「土踏まず・指のくぼみ」に対応できるよう形状とする。また、鼻緒は足の親指と中指の間を履いたときに痛みのない仕様として、初めて履いた方でも痛みが少なく気持ちよく履けるようにする。
鼻緒形状つぼ押しスリッパにすることにより、表面の突起部分が履いたとき足裏との摩擦で滑り止めの効果がある。
鼻緒形状にすることにより、足の指が広がり外反母趾の予防にもなる。
底部分は、ウレタン状のもので、網目の滑り止めを付ける。
室内履きとしては鼻緒形状の物がなく、私の経験から得られ、考案に至りました。
今回、鼻緒形状つぼ押しスリッパを実用新案として提出します。
【上履きの素材について】
鼻緒形状の上履き
鼻緒は合成皮革・絵柄・ビロード布状などで、肌に触れる部分は蒸れが少ない布張りで「履く・脱ぐ」が簡単にできる素材にする。
鼻緒の中心部分にバランスの取れた花飾り等を装飾したい。
足裏に触れる部分はクッション性に優れた低反発性の柔らかい素材とし、突起部分は従来品より大きい形状にして「土踏まず・指のくぼみ」に対応できるよう滑らかな形状とする。
足の親指と中指の間は履いたときに痛みのない素材とする。
【図面の簡単な説明】  突起の付いた健康スリッパと鼻緒形状のサンダルとの組み合わせによる鼻緒形状を有する鼻緒形状つぼ押しスリッパ。
【手続補正３】
【補正対象書類名】図面
【補正対象項目名】全図
【補正方法】追加
【補正の内容】
【図１】
0003155408.tif 000007
【図２】
0003155408.tif 000008
【手続補正書】
【提出日】平成21年3月2日(2009.3.2)
【手続補正１】
【補正対象書類名】実用新案登録請求の範囲
【補正対象項目名】全文
【補正方法】変更
【補正の内容】
【実用新案登録請求の範囲】
【請求項１】
（１）鼻緒は布素材とし、鼻緒は履く脱ぐが簡単でスムーズにできるようにし、鼻緒と足裏全体をカバーする突起物を有する。（２）突起付きで低反発性の柔らかいシリコンゴム素材でクッション性を良くし足裏全体に対応できる形状とする。（３）ストッパーのカバー部分で発汗するため、鼻緒形状を特徴とする。  以上からなる鼻緒形状つぼ押しスリッパ。
【手続補正２】
【補正対象書類名】明細書
【補正対象項目名】全文
【補正方法】変更
【補正の内容】
【考案の詳細な説明】
【上履きの素材について】
鼻緒形状の上履き  鼻緒は合成皮革・絵柄・ビロード布状などで、肌に触れる部分は蒸れが少ない布張りで「履く・脱ぐ」が簡単にできる素材にする。  鼻緒の中心部分にバランスの取れた花飾り等を装飾したい。  足裏に触れる部分はクッション性に優れた低反発性の柔らかい素材とし、突起部分は従来品より大きい形状にして「土踏まず・指のくぼみ」に対応できるよう滑らかな形状とする。  足の親指と中指の間は履いたときに痛みのない素材とする。
【図面の簡単な説明】
【図１】は上から見た図。
【図２】は横から見た図。「鼻緒と底部分とから構成されており、鼻緒は布素材とし、履く脱ぐが簡単でスムーズにできるようにし、底部分は、鼻緒と足裏全体をカバーし、低反発性の柔らかいシリコンゴム素材でクッション性を良くし、足裏全体に対応できる形状の突起物を有することを特徴とする、鼻緒形状つぼ押しスリッパ。」
【手続補正３】
【補正対象書類名】図面
【補正対象項目名】全図
【補正方法】追加
【補正の内容】
【図１】
0003155408.tif 000009
【図２】
0003155408.tif 000010
【手続補正書】
【提出日】平成21年6月8日(2009.6.8)
【手続補正１】
【補正対象書類名】実用新案登録請求の範囲
【補正対象項目名】全文
【補正方法】変更
【補正の内容】
【実用新案登録請求の範囲】
【請求項１】
鼻緒と底部分とから構成されており、鼻緒は布素材とし、履く脱ぐが簡単でスムーズにできるようにし、底部分は、鼻緒と足裏全体をカバーし、低反発性の柔らかいシリコンゴム素材でクッション性を良くし、足裏全体に対応できる形状の突起物を有することを特徴とする、鼻緒形状つぼ押しスリッパ。